(57)【要約】      （修正有）【課題】箱形容器に前後方向に並んだ縦姿勢の板状包装体は、その枚数が減って列が短くなっても、前側又は後側に倒れ難くする。【解決手段】箱形容器１は、上面が開口した直方体状の箱形であり、長方形板状の包装体１１を縦に入れ、多数枚の包装体をその前面と後面を重ねて前後方向に配列し、包装体の上端を箱形容器１の上面開口に露出し、使用時に、箱形容器１に前後方向に並んだ包装体の列から包装体を、上端を摘んで抜き取る板状包装体の箱形容器において、箱形容器１の左右の側壁は、それぞれ、留め片５を形成する切断線又はミシン目を設けて留め片待機部３を形成した。留め片待機部は、切断線又はミシン目の内側の側壁を留め片として側壁２の内側に折り曲げ可能にした。左右の留め片待機部の留め片を側壁の内側に折り曲げて左右の留め片で前後方向に並んだ包装体を支える。【選択図】図４
0003110963.tif 000002
【実用新案登録請求の範囲】
【請求項１】
箱形容器は、上面が開口した直方体状の箱形であり、長方形板状の包装体を縦に入れ、多数枚の包装体をその前面と後面を重ねて前後方向に配列し、包装体の上端を箱形容器の上面開口に露出し、包装体の使用時に、箱形容器に前後方向に並んだ包装体の列から包装体を、上端を摘んで抜き取る板状包装体の箱形容器において、
箱形容器の左右の側壁は、それぞれ、留め片を形成する切断線又はミシン目を設けて留め片待機部を形成し、留め片待機部は、切断線又はミシン目の内側の側壁を留め片として側壁の内側に折り曲げ可能にし、
左右の留め片待機部の留め片をそれぞれ側壁の内側に折り曲げて左右の留め片で前後方向に並んだ包装体を支える構成にしたことを特徴とする箱形容器。
【請求項２】
長方形板状の包装体は、傷口に当てるガーゼを包装していることを特徴とする請求項１に記載の箱形容器。
【請求項３】
箱形容器の上に箱形蓋を連続して設け、上下の箱形蓋と箱形容器で多数枚の長方形板状包装体の包装箱を構成し、箱形蓋を箱形容器から分離可能にしたことを特徴とする請求項１又は２に記載の箱形容器。
【考案の詳細な説明】
【技術分野】
【０００１】
本考案は、板状の包装体を配列して収納する箱形の容器に関する。
【背景技術】
【０００２】
病院や医院において患者の傷を手当するために使用する当てガーゼ、傷口に当てるガーゼは、数センチメートル角の板状に折り畳み、これを滅菌し、長方形の袋に密封して包装している。当てガーゼの包装体は、長方形の板状である。板状包装体の前面には、内容物の当てガーゼが滅菌済みである旨、当てガーゼの使用上の注意や、製造販売業社名などの表示を付している。
【０００３】
この長方形板状の包装体は、上面が開口した直方体状の箱形容器に多数枚を縦に入れ、多数枚の板状包装体をその前面と後面を重ねて前後方向に配列し、板状包装体の上端を箱形容器の上面開口に露出している。病院や医院において当てガーゼを使用するときは、通常、箱形容器に前後方向に並んだ板状包装体の列の前端から１枚の板状包装体を、上端を摘んで抜き取る。そして、当てガーゼの板状包装体は、包装袋を破って当てガーゼを取り出す。
【０００４】
【特許文献１】登録実用新案第３０９２８４１号公報
【考案の開示】
【考案が解決しようとする課題】
【０００５】
箱形容器に前後方向に並んだ板状包装体は、列の前端から順次抜き取られ、列の前端が後退する。箱形容器は、前後方向に並んだ板状包装体の列とその前側の側壁との間に空間が形成され、その空間が順次前後方向に長くなる。すると、箱形容器に縦姿勢で並んでいる板状包装体は、前側に倒れることがある。また、後側に倒れることがある。
【０００６】
箱形容器の板状包装体は、縦姿勢から前側又は後側に倒れて横姿勢になると、箱形容器から摘み取り出し難くなる。また、板状包装体は、前側に倒れると、前面の表示が見えなくなる。
【課題を解決するための手段】
【０００７】
１）箱形容器は、上面が開口した直方体状の箱形であり、長方形板状の包装体を縦に入れ、多数枚の包装体をその前面と後面を重ねて前後方向に配列し、包装体の上端を箱形容器の上面開口に露出し、包装体の使用時に、箱形容器に前後方向に並んだ包装体の列から包装体を、上端を摘んで抜き取る板状包装体の箱形容器において、
箱形容器の左右の側壁は、それぞれ、留め片を形成する切断線又はミシン目を設けて留め片待機部を形成し、留め片待機部は、切断線又はミシン目の内側の側壁を留め片として側壁の内側に折り曲げ可能にし、
左右の留め片待機部の留め片をそれぞれ側壁の内側に折り曲げて左右の留め片で前後方向に並んだ包装体を支える構成にしたことを特徴とする箱形容器。
【０００８】
２）上記の板状包装体の箱形容器において、
長方形板状の包装体は、傷口に当てるガーゼを包装していることを特徴とする。
【０００９】
３）上記の板状包装体の箱形容器において、
箱形容器の上に箱形蓋を連続して設け、上下の箱形蓋と箱形容器で多数枚の長方形板状包装体の包装箱を構成し、箱形蓋を箱形容器から分離可能にしたことを特徴とする。
【００１０】
４）上記の「直方体状の箱形」の「直方体」は、「立方体」を含む広義の直方体を意味する。また、上記の「長方形板状の包装体」の「長方形」は、「正方形」を含む広義の長方形を意味する。
【考案の効果】
【００１１】
箱形容器は、前後方向に並んだ長方形板状の包装体の列から包装体が抜き取られて包装体の列とその前側の側壁との間に空間が形成され、その空間が前後方向に長くなって、長方形板状の包装体が前側又は後側に倒れ易くなると、左右の留め片待機部の留め片をそれぞれ内側に折り曲げ、左右の留め片でその後側に前後方向に並んだ長方形板状の包装体を支える。長方形板状の包装体が前側又は後側に倒れ難くする。
【００１２】
箱形容器に前後方向に並んだ縦姿勢の長方形板状包装体は、その枚数が減って列が短くなっても、左右の留め片で支えられ、前側又は後側に倒れ難い。
【考案を実施するための最良の形態】
【００１３】
［第１例（図１〜図５参照）］
本例の箱形容器１は、前後左右の側壁と底板からなり、上面が開口した箱である。この箱の形状は、前後方向に長い直方体状である。この直方体状の箱は、厚紙を切断し、折り曲げ、組み合わせ、接着して製作している。
【００１４】
厚紙製の箱形容器１は、図１に示すように、左右の側壁２の前部にそれぞれ前側の留め片待機部３を形成している。また、左右の側壁２の後部にも、それぞれ、後側の留め片待機部３を形成している。
【００１５】
前側の左右一対の留め片待機部３と後側の左右一対の留め片待機部３、合計４個所の留め片待機部３は、構造が同一である。留め片待機部３は、図１と図２に示すように、側壁２にその上縁から下向きに２本の切断線４を同一長さに設けて、２本の並列する切断線４の内側の側壁２を留め片５とし、留め片５の下辺を折り目にしている。留め片５は、側壁２の内側に折り曲げ可能である。
【００１６】
板状包装体１１は、図３〜図５に示すように、滅菌済みの当てガーゼを密封した長方形板状包装体である。板状包装体１１の前面には、内容物の当てガーゼが滅菌済みである旨、当てガーゼの使用上の注意や、製造販売業社名などの表示１２を付している。
【００１７】
長方形板状の包装体１１は、図３に示すように、箱形容器１に多数枚を縦に入れている。多数枚の板状包装体１１は、その前面と後面を重ね、箱形容器１の前後の側壁６の間に前後方向に配列している。縦姿勢の板状包装体１１は、上端を箱形容器１の上面開口に露出している。箱形容器１は、前後の側壁６の間に多数枚の縦姿勢の板状包装体１１が詰まっている。板状包装体１１で満杯になっている。
【００１８】
病院や医院において当てガーゼを使用するときは、箱形容器１に前後方向に並んだ板状包装体１１の列の前端から板状包装体１１を、上端を摘んで抜き取る。箱形容器１から抜き出した板状包装体１１は、包装袋を破って当てガーゼを取り出す。
【００１９】
箱形容器１に前後方向に並んだ板状包装体１１は、列の前端から順次抜き取られ、列の長さないし枚数が減少し、列の前端が後退する。すると、箱形容器１は、前後方向に並んだ板状包装体１１とその前側の側壁６との間に空間が形成され、その空間が順次前後方向に長くなる。
【００２０】
箱形容器１に並んだ板状包装体１１が満杯状態からその三分の一程度の枚数が減少し、板状包装体１１の列の長さが三分の二程度に短くなると、箱形容器１の板状包装体１１とその前側の側壁６との間に形成された空間が前後方向に長くなって、板状包装体１１は、前側又は後側に倒れ易くなる。また、その空間には、前側の留め片待機部３が出現する。
【００２１】
箱形容器１の板状包装体１１前の空間に前側の留め片待機部３が現れると、図４に示すように、前側の左右の留め片待機部３から、それぞれ、留め片５を側壁２の内側に折り曲げる。前側の左右の留め片５は、左右の側壁２に沿う縦姿勢から底板に並行する横姿勢になって、側壁２の内側に突出し、前後方向に並んだ板状包装体１１の前側に位置する。前側の左右一対の留め片５は、その後側に前後方向に並んだ板状包装体１１を支える。その板状包装体１１が前側又は後側に倒れ難くする。
【００２２】
その後、箱形容器１の板状包装体１１が満杯状態からその三分の二程度の枚数が減少し、板状包装体１１の列の長さが三分の一程度に短くなると、箱形容器１の包板状装物１１と前側の留め片５との間の空間が前後方向に長くなって、板状包装体１１は、前側又は後側に倒れ易くなる。また、その空間には、後側の留め片待機部３が出現する。
【００２３】
箱形容器１の包装体１１前の空間に後側の留め片待機部３が現れると、図５に示すように、後側の左右の留め片待機部３から、それぞれ、留め片５を側壁２の内側に折り曲げる。後側の左右の留め片５は、縦姿勢から横姿勢になって、側壁２の内側に突出し、前後方向に並んだ板状包装体１１の前側に位置する。後側の左右一対の留め片５は、その後側に前後方向に並んだ板状包装体１１を支える。その板状包装体１１が前側又は後側に倒れ難くする。
【００２４】
［第２例（図６参照）］
本例の箱形容器１は、前側の左右の留め片待機部３と後側の左右の留め片待機部３、合計４個所の留め片待機部３を、第１例におけるそれとは異なり、側壁２の上縁から下側に離して形成している。
【００２５】
留め片待機部３は、図６に示すように、側壁２に門形状の折れ線の切断線２１を設けて、門形状の切断線２１の内側の側壁２を留め片２２とし、留め片２２の下辺を折り目にしている。留め片２２は、側壁２の内側に折り曲げ可能である。
【００２６】
前側又は後側の左右の留め片２２は、側壁２の内側に折り曲げると、左右の側壁２に沿う縦姿勢から底板に並行する横姿勢になって、側壁２の内側に突出する。前側又は後側の左右の留め片２２は、その後側に前後方向に並んだ板状包装体１１を支える。その板状包装体１１が前側又は後側に倒れ難くする。
その他の点は、第１例におけるのと同様である。
【００２７】
［第３例（図７参照）］
本例の箱形容器１は、前側の左右の留め片待機部３と後側の左右の留め片待機部３、合計４個所の留め片待機部３における留め片の折り曲げ方向を、第２例から変更している。
【００２８】
留め片待機部３は、図７に示すように、側壁２にコの字形状の折れ線の切断線３１を設けて、コの字形状の切断線３１の内側の側壁２を留め片３２とし、留め片３２の前辺を折り目にしている。留め片３２は、側壁２の内側に折り曲げ可能である。
【００２９】
前側又は後側の左右の留め片３２は、側壁２の内側に折り曲げると、左右の側壁２に沿う姿勢から前後の側壁６に並行する姿勢になって、側壁２の内側に突出する。前側又は後側の左右の留め片３２は、その後側に前後方向に並んだ板状包装体１１を支える。その板状包装体１１が前側又は後側に倒れ難くする。
その他の点は、第２例におけるのと同様である。
【００３０】
［第４例（図８参照）］
本例の箱形容器１は、図８に示すように、第１例の箱形容器１の上に箱形蓋４１を連続して設け、上下の箱形蓋４１と箱形容器１で多数枚の板状包装体１１の包装箱を構成している。
【００３１】
上下の箱形蓋４１と箱形容器１からなる包装箱は、前後左右の側壁の中間部、上下の箱形蓋４１と箱形容器１との境界に２本のミシン目の切取線４２を上下に並列して形成している。２本のミシン目の切取線４２は、包装箱４１、１の四周の側壁を一回りしている。その四周の側壁は、２本の並列する切取線４２の間を切取帯にしている。箱形蓋４１は、箱形容器１から分離可能にしている。
【００３２】
箱形蓋４１と箱形容器１の包装箱から内容物の板状包装体１１を出すときには、２本の切取線４２の間の切取帯を切り取って、箱形蓋４１と箱形容器１を分離する。すると、上面が開口した箱形容器１は、第１例における図３に示すように、板状包装体１１が前後方向に並んだ満杯状態になる。
その他の点は、第１例におけるのと同様である。
【００３３】
［変形例］
１）上記の実施形態において、留め片待機部３は、留め片５、２２、３２を形成するため、切断線４、２１、３１を設けているが、切断線に代えてミシン目ないしミシン線にする。
２）上記の実施形態において、板状包装体１１は、患者の傷口に当てるガーゼを包装しているが、当てガーゼ以外の板状の物を包装する。
３）上記の実施形態において、左右一対の留め片待機部３は、箱形容器１の前部と後部の２個所に設けているが、１個所又は３個所以上にする。
【図面の簡単な説明】
【００３４】
【図１】本考案の実施形態の第１例における板状包装体の箱形容器の斜視図。
【図２】同箱形容器のすべての留め片待機部の留め片を内側に折り曲げた状態の斜視図。
【図３】同箱形容器に板状包装体が満杯に前後方向に並んだ状態の斜視図。
【図４】同箱形容器の前側の留め片待機部の留め片を使用した状態の斜視図。
【図５】同箱形容器の後側の留め片待機部の留め片を使用した状態の斜視図。
【図６】実施形態の第２例における板状包装体の箱形容器の斜視図であり、図２に対応する図。
【図７】実施形態の第３例における板状包装体の箱形容器の斜視図であり、図２に対応する図。
【図８】実施形態の第４例における板状包装体の箱形容器の斜視図。
【符号の説明】
【００３５】
１  箱形容器
２  箱形容器の左右の側壁
３  左右の側壁の留め片待機部
４  留め片待機部の切断線
５  留め片待機部の留め片
６  箱形容器の前後の側壁
１１  板状包装体
１２  板状包装体の表示
２１  留め片待機部の門形状折れ線の切断線
２２  留め片待機部の留め片
３１  留め片待機部のコの字形状折れ線の切断線
３２  留め片待機部の留め片
４１  箱形容器の箱形蓋
４１、１  板状包装体の包装箱
４２  包装箱のミシン目の切取線
【図１】
0003110963.tif 000003
【図２】
0003110963.tif 000004
【図３】
0003110963.tif 000005
【図４】
0003110963.tif 000006
【図５】
0003110963.tif 000007
【図６】
0003110963.tif 000008
【図７】
0003110963.tif 000009
【図８】
0003110963.tif 000010